Podtech/llm-jp-corpus-v4-ja_patent huggingface dataset:
(57)【要約】      （修正有）【課題】尻に枕やクッションを使用するときに身体疲労を枕やクッションの一面に尻型の窪みを設けた尻用の枕又はクッションを提供する。【解決手段】枕やクッションの一面に尻型の窪みを設けた尻用の枕又はクッションを特徴とする。【選択図】図２
2007007351.tif 000002
【特許請求の範囲】
【請求項１】
枕又はクッションの一面に尻型の窪みを設ける。
以上の構成によりなる尻用の枕又はクッション。
【発明の詳細な説明】
【技術分野】
【０００１】この発明は、枕の一面にお尻型の窪みを設けたお尻に敷く為の尻用の枕又はクッションに関するものである。
【背景技術】
【０００２】従来、枕やクッションは頭に敷いたり、抱いたりするためのものがある。しかし尻に敷くための機能的なものがなかった。そのために使用目的を異なった使い方をしたので、疲労、腰痛などの身体的に影響を与えていた。
【発明の開示】
【発明が解決しようとする課題】
【０００３】これは次のような欠点があった。
尻に敷く時に尻と枕が密着していなかった。
これは本来の使用目的と違うために、体を疲労するの要因の一つであった。
（ロ）。
本発明は、以上のような欠点をなくすためになされたものである。
【課題を解決するための手段】
【０００４】枕又はクッションの一面に尻型の窪みを設ける。
本発明は、以上の構成によりなる尻用の枕又はクッションである。
【発明の効果】
【０００５】尻に敷くための機能性を持ち使用用途を明記することで実用的になる。
【発明を実地するための最良の形態】
【０００６】以下、本発明を実地するための最良の形態について説明する。
枕又はクッションの一面に尻型の湾曲した窪みを設ける。
本発明は、以上のような構成でこれを使用するときは、尻に敷くための枕やクッションなので、尻に敷いて座ったり寝たりする。
【図面の簡単な説明】
【０００７】
【図１】    本発明の斜視図である。
【図２】    本発明の断面図である。
【図３】    本発明の斜視図である。
【図４】    本発明の断面図である。
【符号の説明】
【０００８】１枕、クッション
【図１】
2007007351.tif 000003
【図２】
2007007351.tif 000004
【図３】
2007007351.tif 000005
【図４】
2007007351.tif 000006
(57)【要約】【課題】  ネックレスを掛けている際、首の後ろにあるべき止め金具が、動いているうちにだんだん首の前面にずり下がり、装飾の価値を損なう為、ネックレス用止め金具の前へのずり下がり防止チェーンを提供する。【解決手段】  チェーンの両端に、ネックレスの引き輪に入る大きさの小さな輪を設け、そのチェーン上を移動できる錘用の装飾を設け、両方または片方の輪をネックレスの止め金具に装着することを特徴とした、ネックレス用止め金具の前へのずり下がり防止チェーン。  また、チェーンの一端に輪と、もう一端に装飾体とを設け、止め金具に装着することを特徴としたネックレス用止め金具の前へのずり下がり防止チェーン。【選択図】      図１
2007007357.tif 000002
【特許請求の範囲】
【請求項１】
チェーンの両端に、ネックレスの引き輪に入る大きさの小さな輪を設け、そのチェーン上を移動できる錘用の装飾を設け、両方または片方の輪をネックレスの止め金具に装着することを特徴とした、ネックレス用止め金具の前へのずり下がり防止チェーン。
【請求項２】
チェーンの一端に輪と、もう一端に装飾体とを設け、止め金具に装着することを特徴としたネックレス用止め金具の前へのずり下がり防止チェーン。
【発明の詳細な説明】
【技術分野】
【０００１】  本発明は、ネックレスを掛けている際、首の後ろにあるべき止め金具が、動いているうちにだんだん首の前面にずり下がり、装飾の価値を損なう為、ネックレス用止め金具の前へのずり下がり防止チェーンに関するものである。
【背景技術】
【０００２】  従来、ネックレスを掛けるとき、止め金具は首の後ろに来るようにして止めた。
【特許文献１】
【発明の開示】
【発明が解決しようとする課題】
【０００３】  そのために、次のような問題点があった。
（イ）初めは首の後ろにある止め金具が、動いているうちにだんだん前に回ってきて見苦      しい形となる。そのため常に気にして直さなければいけなかった。
（ロ）アジャスターがついているネックレスもあるが、ヘッドの装飾品が軽かったり、ネ      ックレスを長めに使用した時はやはり止め金具が前に回って来た。
本発明は以上の問題点を解決しようとするものである。
【課題を解決するための手段】
【０００４】  チェーンの両端に、ネックレスの引き輪に入る大きさの小さな輪を設け、そのチェーン上を移動できる錘用の装飾を設け、両方または片方の輪をネックレスの止め金具に装着することを特徴とした、ネックレス用止め金具の前へのずり下がり防止チェーンである。
また、チェーンの一端に輪と、もう一端に装飾体とを設け、止め金具に装着することを特徴としたネックレス用止め金具の前へのずり下がり防止チェーンである。
【発明の効果】
【０００５】  ネックレスを首に掛けた際、首の後ろにあるべき止め金具が作業をしているうちに首の前に回ってきて、せっかくの装飾品も見苦しくなるため、常に気にして止め金具の位置を直さなければならなかった。本発明はそのわずらわしさと見苦しさを防ぐことを目的としている。首の後ろの止め金具に取付けてその重さにより前へのずり下がりを防ぎ、なおかつ後姿も素敵になるように考えている。
【発明を実施するための最良の形態】
【０００６】以下、本発明の実施の形態を説明する。
（イ）  短めのチェーン（１）の両端に、小さな輪（２）、（３）を設ける。
（ロ）  その輪（２）と輪（３）の間のチェーン上に移動できる錘用の装飾（４）を設け        る。
本発明は、以上の構成よりなっている。
本発明を使用するときは、図２に示すようにネックレス（７）の引き輪（５）にまず本発明の輪（２）と輪（３）を差し込む。そしてそのままネックレス（７）のダルマカン（６）を止めた形で使用する。又ペンダントヘッドが重い時や、好みでこの発明品を長めに使用したいときは、図３に示すように引き輪（５）に本発明の輪（２）だけを差し込み、あとはダルマカン（６）で止めて使用する。こうして使用すると、この発明品の重さで、ペンダントヘッド（８）のところに首の後ろにあるべき止め金具（Ａ）の引き輪（５）とダルマカン（６）がすべり落ちてくる事を防げる。
本発明は以上の要点であるが次のような実施例も発明者は創作している。
図５に示すように若者向けにかわいいビーズで作ったものや、図６に示すようにチェーンの一端にだけ輪を設け、他方に七宝焼などの装飾体を使った長いままのものも素敵である。
また本発明の利点は取り外しが出来るので、他のネックレスにも転用ができる。その上今迄は首の後ろは舞台裏の感が有ったが、この発明品により、うなじや、後姿にもお洒落ができる。
【図面の簡単な説明】
【０００７】
【図１】    本発明の斜視図
【図２】    本発明の使用時を示す斜視図
【図３】    本発明の長く使用する時の斜視図
【図４】    本発明の使用説明図
【図５】    本発明の他実施例の斜視図
【図６】    本発明の他実施例の斜視図
【符号の説明】
【０００８】  １    チェーン
２    輪
３    輪
４    錘用装飾
５    引き輪
６    ダルマカン
７    ネックレス
８    ペンダントヘッド
９    テグス
１０    ビーズ
１１    装飾体
【図１】
2007007357.tif 000003
【図２】
2007007357.tif 000004
【図３】
2007007357.tif 000005
【図４】
2007007357.tif 000006
【図５】
2007007357.tif 000007
【図６】
2007007357.tif 000008
(57)【要約】【課題】  屋根裏収納を電動で昇降させることで省スペースで生活臭が少なく、お年寄りや体の不自由な人にも屋根裏収納を供することが目的である。【解決手段】  収納庫（２）をモーター（４）にリンクした巻きつけ軸（５）を回転させることで帯ベルト（７）を同調して上下させて水平を維持したまま収納庫（２）を上下するようにした。【選択図】      図１
2007007356.tif 000002
【特許請求の範囲】
【請求項１】
電動で屋根裏または天井裏の収納庫（２）もしくは引き出し、戸や棚等を備えた収納庫を制動装置（１０）に制御されたモーター（４）を介して１ないし複数本の帯ベルトやワイヤー等で吊り上げ、吊り下げる動作によって収納庫（２）等を上下に移動させる装置を有し、収納庫（２）を収納受け箱（１）内もしくは天井裏や屋根裏内にスムーズに格納するために誘導リング（８）、ガイドレール、ガイド板、ガイドローラーその他の誘導の為の装置を具備したことを特徴とする構成の電動天井裏収納庫ユニット。
【請求項２】
リモコン、有線スイッチによりオン、オフ上下動を行うことができる電動天井裏収納庫ユニット。
【請求項３】
天井裏、屋根裏、収納庫（２）収納受け箱（１）に過巻き防止リミットスイッチ（９）を有し、制動装置（１０）に過負荷、支障物検知装置を備えこれらの装置から停止信号を感知するとモーター（４）を停止する機構を備えた電動天井裏収納庫ユニット。
【請求項４】
収納受け箱（１）の底部または、設置される天井の一部に開口部を持ちそこから収納庫（２）等を上下動させる機能を持ち収納庫等の底部には天井と同じ部材（１５）ないし化粧板を取り付けた電動天井裏収納庫ユニット。またこれらの電動天井裏収納庫ユニットを直列、並列にレール、コンベア等でつないでスライドさせ天井の１ないし複数の開口部より上下動させることを可能とした電動天井裏収納庫ユニット。
【発明の詳細な説明】
【発明の詳細な説明】
【技術分野】
【０００１】  この発明は制御装置とモーターと吊り具と格納のための誘導装置を具備した昇降装置つき屋根裏収納庫に関するものである。
【背景技術】
【０００２】  従来の屋根裏収納庫は、上り下りするのに点検口の様な出入り口であり、また簡易な階段付きの蓋を取りつけたものが多く、収納庫自体も腰をかがめなくては中を移動できない有様である。これではお年寄りや体の不自由な人には辛いものである。健常者であっても清掃や、荷物の上げ下ろしは重労働で危険で面倒なことであった。
【発明が解決しようとする課題】
【０００３】  本発明はその欠点をなくすために、収納庫の階段を登り降りするのではなく、収納庫自身を手元まで上げ下げすることを課題として研究を進めた。
【課題を解決するための手段】
【０００４】  収納庫自身を手元まで上げ下げするには、収納庫に吊り具を取り付け天井から吊るして吊り上げたり、吊り下げたりすることである。どのような構成が最良であるか試行錯誤と実験の結果、収納庫にワイヤーを取り付け天井裏に配したモーターでそのワイヤーを巻き上げたり巻き下げたりすることであると発見した。
【発明を実施するための最良の形態】
【０００５】  本発明を実施するために、天井に見立てた板の開口部から収納庫（２）をワイヤーで吊るしモーター（４）で巻き上げ下げをしてみた。しかし、この方法では収納庫の動きが安定せず、天井の開口部に引っかかり格納できないことがわかった。
そこで、収納受箱（１）にガイドレール（１４）と誘導リングを取り付け収納庫を開口部に誘導してみたり、ガイド板やガイドローラのついた金具等を装着してみたり各種の方法を実施してみた。
さらに、安全のための装置として過巻き防止リミットスイッチ（９）や過負荷・支障物検知装置（１６）を取り付けた。
ワイヤーでの汚れや手の受傷防止に帯ベルト（７）を採用したら収納庫（２）がより安定した動きをすることもわかった。
本発明は以上のような構成であるから収納庫（２）は開口部に引っかからずに格納され、お年寄りでも安全に使用することを得た。
【発明の効果】
【０００６】  本発明は以上のような構成だから、収納庫はスムーズに格納でき、安全に上下動できるようになった。それによってお年寄りやからだの不自由な人であっても屋根裏のスペースを有効に活用できるだけでなく、収納庫の省スペース化により屋根裏のみならず、一階と二階の間の天井裏のスペースも設置可能な天井裏収納庫とでもいうようなものになった。
なお、収納を天井にもっていったことにより、家具の配置による生活臭さのない広い空間の居住スペースを提供できる。
【図面の簡単な説明】
【図１】本発明の断面図
【図２】各装置の相関図
【図３】誘導装置と安全装置の配置図
【符号の簡単な説明】
（１）は収納受け箱（２）は収納庫（３）は収納蓋（４）はモーター（５）はベルト巻きつけ軸（６）はローラー滑車（７）は帯ベルト（８）は誘導リング（９）は過巻き防止リミットスイッチ（１０）は制動装置（１１）は有線ＯＮ・ＯＦＦ上下スイッチ（１２）はリモコン（１３）はリモコン受信部（１４）はガイドレール（１５）は天井と同じ部材もしくは化粧板（１６）過負荷・支障物検知装置
【図１】
2007007356.tif 000003
【図２】
2007007356.tif 000004
【図３】
2007007356.tif 000005
(57)【要約】      （修正有）【課題】介護老人等のおしめの取り替えに、介護者の労力を減らし、被介護者の精神的負担を軽減するおしめを提供する。【解決手段】濡れ感知センサーを開発した。膨張剤（高分子ポリマー）（ク）が濡れ膨らむ事で電極（エ）、オがくっつき、電気が流れＩＣチップ（カ）から電波を発信させ、ヘルパー室の標示板またはパーソナルコンピューター（パソコン）に伝え、表示する濡れ感知センサーで、誰のオシメの取替えが必要か的確に素早く把握できる。【選択図】図１
2007007352.tif 000002
【特許請求の範囲】
【請求項１】
膨張剤（高分子ポリマー）の中に蛇腹状にした紙の筒または箱状にした中に＋極と−極を両端に取り付けた濡れ感知センサーである
【請求項２】
膨張剤（高分子ポリマー）が濡れる事で乾燥していた膨張剤（高分子ポリマー）が膨張し、蛇腹の中の電極がくっつき電気が流れ、電気をＩＣチップを通して電波が発せられた信号を標示板またはパーソナルコンピューター（パソコン）に入力され表示される濡れ感知センサーである。
【発明の詳細な説明】
【発明の詳細な説明】
【産業上利用分野】
【０００１】  介護老人、寝たきり老人等のオシメを素早く的確に取り替えてあげる事でヘルパーの介護が楽であり、介護産業のサービス向上に役立つのである。
【背景技術】
【０００２】  定期的にヘルパーがオシメが濡れてないか、汚れてないかオシメの中を調べるしかなかったが、この感知センサーは従来にないシステムで、従来の技術で十分に間に合うのである。
【発明が解決しようとする課題】
【０００３】  介護老人者が増える中、個人、在宅、ホームであれ下の世話、特にオシメの取替えは一日何回も取り替えなければならず大変である。オシメの中の調べは濡れていないか、汚れていないか定期的に調べて回らなくてはならず、濡れ感知センサーを膨張剤（高分子ポリマー）の中に入れたオシメだと濡れたか汚れたかが一目で分かり、介護の負担が軽くなるのである。
【課題を解決するための手段】
【０００４】  膨張剤（高分子ポリマー）の中に濡れ感知センサーを入れたオシメで、蛇腹状の紙で出来た筒または箱の両端に＋極と−極が取り付けてあり、膨張剤（高分子ポリマー）が濡れて膨張する事で電極が接して電気が通り、ＩＣチップから電波が発信し、標示板またはパーソナルコンピューター（パソコン）でオシメの汚れた事を知る濡れ感知センサーである。
【発明実施の形態】
【０００５】  超小型で紙で蛇腹状にしてあり、筒もしくは箱状で、蛇腹の両端には＋と−の電極が取り付けてある。また電源は乾電池で構成されているものである。
【実施例】
【０００６】  試作実験の結果、誤作動もなく大変満足のいく、大変良好な製品であり貢献できるものである。
【発明の効果】
【０００７】  従来ヘルパーがオシメの取替えで、一日に何度も重い体を起こす事で腰を痛めるヘルパーがいる現状、大変な重労働である。オシメの検査がこの濡れ感知センサーがある事で、時間のかかる検査をしなくて済み、ヘルパーの仕事が大変楽になるので、発明の効果は大いに期待できるのである。
【物件名】
【図面の簡単な説明】    （Ａ）側面断面図        （Ｂ）正面図
図１  （ア）乾電池      （カ）ＩＣチップ      （サ）蛇腹
（イ）線          （キ）本体
（ウ）端子        （ク）膨張剤（高分子ポリマー）
（エ）＋極        （ケ）水滴
（オ）−極        （コ）電波
【図１】
2007007352.tif 000003
(57)【要約】      （修正有）【課題】  炊飯釜の炊飯ご飯は炊飯釜面が水分が多くておいしくないので、この釜肌部の水分を炊飯時と同時に取り除くことのできる炊飯補助具を提供する。【解決手段】  網１を有底円筒状にして炊飯補助網駕籠を形成し、炊飯補助網駕籠を炊飯釜内に入れ、米を入れて炊飯する。【選択図】  図１
2007007355.tif 000002
【特許請求の範囲】
【請求項１】
網を円筒状にして炊飯釜に合せ、網駕を形成するこれを炊飯釜内に入れてそれに米を入れ炊飯する炊飯補助網駕
【発明の詳細な説明】
【技術分野】
【０００１】この発明は炊飯釜内にて炊飯を補助する網駕である
【背景技術】
【０００２】従来の炊飯釜はどれも釜肌部がどんな方法でも水分を取りのぞくことが出来なかった
【発明が解決しようとする課題】
【０００３】従来（現在）も釜飯の釜肌面は水ばんでいて親や主人にはこの部分は出しにくかった。子供でも何時もこの部分をもらっているといつか不平が出る。こんな不平のご飯の部分を取り除くべく発明した炊飯補助網駕である
【課題を解決するための手段】
【０００４】釜肌に米粒が接しながら炊飯をしていたがために水分が取れなかった。それを取り除くための網駕である
【発明の効果】
【０００５】炊飯釜内に網駕を入れこれで炊飯を始めたら先ず米粒が釜内部で駕と釜肌のすき間でおこる水の流れにより米粒が立っておどる。活発に動くおかげで炊き上りが早い（釜によるが３分は早い）。次に蒸し上りも早い（米粒が立っているから）総体にして炊飯時間も短かくて済む。食べて釜全体が一体となって炊き上っているからむらがなくご飯が実においしいと実感出来る
【発明を実施するための最良の形態】
【０００６】炊飯する釜の形態により炊飯する米の量にもより各々形態が異なるが必ず水の加減によるかも知れないが必ずおいしいご飯をいただけることだけは絶対保証出来る
【図面の簡単な説明】
【０００７】
【図１】本発明の斜視図である
2007007355.tif 000003
【図１】
2007007355.tif 000004
(57)【要約】      （修正有）【課題】寝たきり患者においては、特にターミナル期（癌末期）にある患者においては、入浴という行動は疲労感をもたらし、疼痛を増強させるなどの行動になり、保清面では清拭程度留まっている。入浴道具となるべきものがないのも原因の１つではないかと考える。できるだけ患者の疲労感を最小限にでき、患者が爽快感を得るようにする。【解決手段】ビニールのエアマット１により、お湯をいれることができる。足元に排水口３を設けることで、ベッドの上で体を洗い、お湯を流すことができる。お湯の準備や排水を貯める道具として、現在商品化してある、洗髪車を活用することで１部分の改良だけですむものと考える。これによりより安価な入浴用エアマットの使用ができるようにした。【選択図】図１
2007007353.tif 000002
【特許請求の範囲】
【請求項１】
入浴マットにおいて足元に設けた排水用の出口
【請求項２】
排水口部分を１時的の止めるための磁石式のビニール布
【請求項３】
排水を流すためのワイヤー入り磁石式のビニール布
【請求項４】
排水を受ける容器の改良。（アトムのＩＩ型洗髪車での、頭載せ部分の入浴用への改良型。丸型より丸みのある四角に変更）
【発明の詳細な説明】
【技術分野】
【０００１】  寝たきりの患者への保清への援助は、ベッド上での清拭や洗髪、足浴・手浴、陰部浴などに限られる。特にターミナル期（癌患者の末期）においては、疲労度も考慮する必要がある。患者が寝たままでできる内容の入浴介助方法として、排水口を設けることで体交程度の疲労度で済むように考えたものである。【０００２】  ビニール製の入浴用エアマットの商品化はあるが、排水口がないため介護者が抱きかかえてビニールマットに入れるという介助になっている。排水口を設けることで患者はベッドに寝たままで横向きを行なうだけでよい。また介護者もマットをベッドの下に敷きこむだけでよい。
【発明の開示】
【発明が解決しようとする課題】
【０００３】  寝たきり患者の場合、特にターミナル期の患者の場合、寝たきりになってから亡くなるまでの期間、入浴するという経験はできないのが現状である。保清という欲求度は安楽度欲求度より低いが、患者の日々の状況から保清に対する欲求もみられる。できるだけ患者の疲労度を少なくし、患者の欲求で達成できるようにしたものである。
【課題を達成するための手段】
【０００４】  患者が寝たままでベッドの下のビニールマットを敷き、敷き終わってから患者の周囲が膨らむよう作成したマットにエアを入れるようにし、足元に排水口を閉鎖できるようにした、磁気式のビニール布を装着する。ビニールマットにお湯を入れ患者の体を洗う。終了後は、磁石で封鎖していたビニールを外し、排水口より汚水が排水できるようにした。排水時はワイヤー入りの磁気式ビニール布をエアマットの下に敷き、アトムのＩＩ型洗髪車に接続させて、排水を行う。排水と同時にマットのエアも抜くようにし、排水が終了した時点で患者を拭く。またビニールマットをその場で拭きあげてしまいビニールマットをベッドの下から除去するようにした。
【発明の効果】
【０００５】寝たきり状況においても入浴感覚が味わえる。皮膚の清潔保持、気分転換に効果がある。
【実施例】
【０００６】
【図面の簡単な説明】
【０００７】
【図１】  １  入浴用エアマット正面図（表面）である。３  足元の排水用出口部分に、４  磁気式ビニール布を装着させて（８  磁気のある部分同士を接着させるようにする）お湯を入れるようにしたものである。
【図２】  入浴用エアマットの断面図である。
【図３】  入浴用エアマット裏面図である。裏面に５  ワイヤー入り磁気式ビニール布を装着させ（８  磁気のある部分同士を接着させるようにする）排水を行なうようにしたものである。
【図４】  排水時、５  ワイヤー入り磁気式ビニール布を、６  アトムのＩＩ型洗髪車の頭載せ部分に接続させたものである。
【図５】  ６  アトムのＩＩ型洗髪車での頭載せ部分を入浴用の排水受けに改良したものである。
【符号の説明】
【０００８】１  入浴用エアマット表
２  入浴用エアマット裏
３  入浴用エアマット排水用出口
４  磁気式ビニール布
５  ワイヤー入り磁気式ビニール布
６  ワイヤー部分
７  アトムのＩＩ型洗髪車の頭載せ部分
８  磁気の部分
９  改良したアトムのＩＩ型洗髪車の排水受け
【図１】
2007007353.tif 000003
【図２】
2007007353.tif 000004
【図３】
2007007353.tif 000005
【図４】
2007007353.tif 000006
【図５】
2007007353.tif 000007
(57)【要約】      （修正有）【課題】校庭のバスケット台でダンクシュートを行ってバスケットリングにぶら下がる事を原因とするバスケット板の破損を防ぐ。【解決手段】バスケットリング１をバスケット板取付部材２とリング部材３とに分け、バスケット板取付部材２の下部の軸４で回転自在に構成し、着脱自在の嵌合部を設ける。リング１に異常な下向き荷重がかかった時リング部材が下方へ回転し荷重を逃がして、バスケット板の破損を防ぐ。【選択図】図１
2007007371.tif 000002
【特許請求の範囲】
【請求項１】
バスケットリングのバスケット板取付部材に対して、リング部材が下方に屈曲自在となる様に構成し、弾性を利用した着脱自在の嵌合部を設けた事を特長とするバスケットリング
【発明の詳細な説明】
【技術分野】
【０００１】本発明はバスケットリングに下向きの異常な力が加わった時、下方へ屈折しバスケット板やリングの破損を防ぐ事が出来る。
【背景技術】
【０００２】従来バスケットリングはバスケット板取付部材とリング部材は一体で溶接構成されていた。１部の製品には衝撃を和らげたり、リングを上方へ折り曲げておくなどの方法によって、破損を最小限にする方法もあったが下方への異常な力によるバスケット板の破損に対しては無力であった。
【発明の開示】
【発明が解決しようとする課題】
【０００３】従来より学校の校庭に設置されているバスケット台でダンクシュートを行ってバスケットリングにぶら下り、バスケット板を破損させる事例が非常に多く発生している。特に少年用ゴールは一般ゴールに比べてリングの高さが低いので小学校で特に多く起こっている。
【課題を解決する為の手段】
【０００４】実施例により説明する。本発明のバスケットリング１はバスケット板取付部材２とリング部材３により軸４を中心に屈折自在に構成されている。バスケット板取付部材２はバスケット板取付板５と、これに直角に設けた左ウイング６と右ウイング７で構成されている。左ウイング６と右ウイング７にはリング部材３を位置決めする為の位置決め部材９が設けてある。位置決め部材９はリング部材３を位置決めする為の溝１０とリング１３に強い力が加わった時、乗り越える事が出来る山１１と、リング１３を元に戻す時少ない力で戻す事が出来る緩い勾配の坂１２が設けられている。リング部材３はリング１３、支持板１４、軸ケース１５、回転自在の位置決めローラー１６により構成される。位置決め部材９と位置決めローラー１６は溝１０で嵌合し、リング１３が所定の位置で保持される様に支持板１４と左ウイング６、右ウイング７に各々保持されいている。保持力は保持力調整ボルト８の締付力を調整する事により、所要の保持力に設定出来る。これによりリング１３に人がぶら下がった時、所要の位置から外れてリング部材３が下方に屈曲し、荷重が軸４に移りバスケット板にかかる曲げモーメントが小さくなり、破損を防ぐ事が出来る。リング部材３は少ない力で元に戻す事が出来、再び使用出来る。又、左ウイング６右ウイング７の材料の弾性力によってローラー１６を位置決めする代わりに、支持板１４に設けられたバネ１９の力とピストン２０によって、所要の機能を実現する事も実施例である。この例では動作時の押し付け力を比較的一定に近い値で設定出来るので安定した動作が確保出来る。又、保持力調整ボルト８も不要となる。
【発明の効果】
【０００５】全国の特に小学校で多発しているダンクシュートによるバスケット板の破損防止に非常に効果がある。又、保持調整機能を有する為、適切な保持力が選定出来、磨耗等による保持力低下にも対応出来、永く使用が出来る。
【図面の簡単な説明】
【０００６】
【図１】バスケットリング１の平面図である。
【図２】バスケットリング１の側面断面図である。
【図３】バスケット板取付部材２の平面図である。
【図４】バスケット板取付部材２の側面断面図である。
【図５】リング部材３の平面図である。
【図６】リング部材３の側面断面図である。
【図７】位置決め部材９の側面図である。
【図８】バネ１９、ピストン２０の構造図である。
【符号の説明】
【０００７】１．    バスケットリング
２．    バスケット板取付部材
３．    リング部材
４．    軸
５．    バスケット板取付板
６．    左ウイング
７．    右ウイング
８．    保持力調整ボルト
９．    位置決め部材
１０．  溝
１１．  坂
１２．  山
１３．  リング
１４．  支持板
１５．  軸管
１６．  位置決めローラー
１７．  軸４用穴
１８．  保持力調整ボルト用穴
１９．  バネ
２０．  ピストン
２１．  ピストンケース
【図１】
2007007371.tif 000003
【図２】
2007007371.tif 000004
【図３】
2007007371.tif 000005
【図４】
2007007371.tif 000006
【図５】
2007007371.tif 000007
【図６】
2007007371.tif 000008
【図７】
2007007371.tif 000009
【図８】
2007007371.tif 000010
(57)【要約】【課題】顔にできてしまったシミをどうしても隠したい、またそのシミをこれ以上大きくしたくない、濃くしたくないということからシミをシールで覆い被せてしまう方法でシミを簡単に隠し、紫外線から守ることを提案します。【解決手段】布製や紙布製でその素材には紫外線防止機能が付いているものをシールにして顔などにできてしまったシミに貼る。またシールの色は肌の色に合わせて多様化する。シールの大きさもシミに合わせて小さいものからある程度大きいものまで作る。【選択図】  図１
2007007373.tif 000002
【特許請求の範囲】
【請求項１】
顔や胸元、手などにできてしまったシミを隠し、紫外線から守る方法として、従来の日焼け止めクリームなど塗るタイプのものから、それと併用する形で、直接シミの部分に貼り付け紫外線をシャットアウトできるシールを提案したいと思います。
【発明の詳細な説明】
【技術分野】
【０００１】本発明は顔や手などにある気になるシミに直接貼るタイプのシミ隠しシールである。また、このシールにはＵＶカットする素材を使用する。
【背景技術】
【０００２】従来はシミを隠すためにはファンデーションやコンシーラーを塗っていた。また、シミを紫外線から守るために日焼け止めクリームやＵＶカットようのファンデーションを塗っていた。
【発明の開示】
【発明が解決しようとする課題】
【０００３】従来はシミを隠すためには、コンシーラーなどで目立たなくしていたがまったく見えなくすることはできなかった。紫外線対策として日焼け止めクリームやＵＶカットようの化粧品を使っても完全に紫外線をシャットアウトすることはできなかった。
【課題を解決するための手段】
【０００４】シミを隠すためにファンデーションやコンシーラーを使ってもすこし濃い目のシミは完全に隠すことはできないので、シミに直接シールで覆い被せて隠してしまう。また、紫外線をカットする素材のシールにすることで、紫外線対策は完璧である。
【発明の効果】
【０００５】本発明によって、今まではシミをできるだけ自然な感じでカバーしてきたものを、顔の色に合わせた布製や紙布製などのシールをシミの部分に直接貼りシミを隠すことで、すごく近づけばシールを貼ってあることが分かるが、ちょっと見ただけでは完璧にシミを隠すことができ、ＵＶカットの素材を使用することでほぼ完全に紫外線対策ができる。また貼るだけなので、洗濯物を干す時や庭仕事の時などすぐに本発明のシールを貼ってシミを紫外線から守ることができる。
【実施例１】
【０００６】シールは伸縮する布製や紙布製などの素材にすること。シールの色はファンデーションのように個人差があるのでいろいろな色を揃えること。また、貼り付ける粘着の部分はシール全体の物やシールの縁だけが粘着状になっているものがある。シールの大きさはシミに合わせていろいろな大きさのものを用意する。シールの素材にはＵＶカットができる物を使用する。
【図面の簡単な説明】
【０００７】
【図１】本発明のシールを表から見た図である。
【図２】（粘着部分が全体にあるタイプのもの）本発明のシールを裏から見た図である。
【図３】（粘着部分が縁だけにあるタイプもの）本発明のシールを裏から見た図ある。
【符号の説明】
【０００８】１  シール本体
２  シールの粘着部分
【図１】
2007007373.tif 000003
【図２】
2007007373.tif 000004
【図３】
2007007373.tif 000005
(57)【要約】【課題】  紙風船やビニール風船など浮体に差し込み取り付けるだけで、立ったまま或いは座ったままでその場から動く事無く遊ぶ事の出来る紙風船やビニール風船など浮体リハビリ遊具を提供する。【解決手段】  紙風船やビニール風船などの浮体の穴に差し込むストッパーにストローと首にかける輪にしたゴムを取り付けて、浮体が常に自分の所に戻り、息を吹き入れやすくしたことを特徴とする浮体リハビリ用遊具。【選択図】  図２
2007007369.tif 000002
【特許請求の範囲】
【請求項１】
紙風船やビニール風船などの浮体の穴に差し込むストッパーにストローと首にかける輪にしたゴムを取り付けて、浮体が常に自分の所に戻りやすくしたことを特徴とする浮体リハビリ用遊具。
【請求項２】
棒状ストッパーに吊り下げ紐を設けた請求項１記載の浮体リハビリ用遊具。
【発明の詳細な説明】
【技術分野】
【０００１】  本発明は、紙風船やビニール風船など浮体に差し込み取り付けるだけで、立ったまま或いは座ったままでその場から動く事なく遊ぶ事の出来る紙風船やビニール風船などの浮体リハビリ遊具に関するものである。
【背景技術】
【０００２】  従来、ビニールやゴムのボールを数人で投げ合い、手の運動をするためのリハビリ用遊具として使うことがあった。
【発明の開示】
【発明が解決しようとする課題】
【０００３】  その為に次のような問題点があった。
（イ）ビニールやゴムのボールが重いものだと高齢者や病後の人には扱いにくく、軽いものだと遠くまで飛んでしまい椅子から立つ時に危険が生じたり、体がふらついたりする心配があった。
（ロ）数人でなら遊びやすいが、一人だとどうしてもその場から移動する必要が生じ、下半身を動かさなくてはならず遊びにくいものであった。
（ハ）紙風船には穴が開いているだけなので、空気を吹き入れる際に高齢者や病後の人又は身体に麻痺などのある人には面倒なものであった。
本発明は以上の問題を解決するためになされたものである。
【課題を解決するための手段】
【０００４】  紙風船やビニール風船などの浮体の穴に差し込むストッパーにストローと首にかける輪にしたゴムを取り付けて、浮体が常に自分の所に戻りやすくしたことを特徴とする浮体リハビリ用遊具であり、棒状ストッパーに吊り下げ紐を設けた浮体リハビリ用遊具である。
【発明の効果】
【０００５】  紙風船やビニール風船など軽い浮体で遊んでもゴム紐が付いているので遠くまで飛ぶことがなく、椅子に座ったまま遊べるので危険がない。又、お手玉のように一人で遊ぶことも出来る。
空気を吹き入れるためのストローも付いているので、簡単に膨らますことができる。
【発明を実施するための最良の形態】
【０００６】  以下、本発明の実施の形態について説明する。
（イ）棒状ストッパー（１）の中央部にストッパーより太いストロー（２）をとりつける。
（ロ）ストロー（２）を貫通して棒状ストッパー（１）の中央部に細いゴムひも（３）を巻き付ける。したがってＴ字型の部品を形成する。
（ハ）反対側のゴムひもの端を４０センチ程度の輪（４）にする。
（二）上記から構成される吊り下げ紐（Ａ）を浮体（Ｂ）の開口部（５）に棒状ストッパー（１）を垂直に差し込む。その後、棒状ストッパー（１）を横方向にして、浮体（Ｂ）と吊り下げ紐（Ａ）が一体に連結される。
本発明は以上の構成からなるもので、以下使用法について説明する。
４０センチ程度のゴムの輪を首にかける。ストロー付きＴ字型の部品を紙風船やビニール風船など軽い浮体の穴に差し込む。ゴムひもを軽く引っ張るとストローが出て来る。ストローから息を吹き入れると簡単に風船は膨らむ。ポンポンと風船をついてみると方向がまずくても、風船は必ず自分の所に戻って椅子から立つこともなくその場を移動する事もなく遊び続けることが出来る。紙風船は安価だし安全だし誰もが幼少時に遊んだなつかしい遊具である。高齢者や病後の人には楽しくストレスを発散することも出来るすばらしい遊具である。
【図面の簡単な説明】
【０００７】
【図１】本発明の側面図
【図２】本発明の斜視図
【図３】本発明の実施例を示す斜視図
【図４】本発明の実施例を示す斜視図
【符号の説明】
【０００８】１  棒状ストッパー
２  ストロー
３  ゴムひも
４  輪
５  開口部
【図１】
2007007369.tif 000003
【図２】
2007007369.tif 000004
【図３】
2007007369.tif 000005
【図４】
2007007369.tif 000006
(57)【要約】【課題】今までの物干し器具は、片手でピンチを開き、もう一方の手で洗濯物を挟みこんで干すことが普通であった。しかし、片方の手しか自由がきかないような状況では、この器具を使って洗濯物を干すことは困難であった。【解決手段】そこで、器具部材１をＵ字形、又はＶ字形にして、その内側に半硬質のつば２を設けて、その部分に上部より洗濯物を挟み込むことにより、摩擦力で洗濯物の落下を防ぐ形状とすることで、片手による物干しが可能となった。又、この部材を連続して設置することで、大きな洗濯物の設置も可能となる。【選択図】図１
2007007363.tif 000002
【特許請求の範囲】
【請求項１】
片手で洗濯物を干すことが可能であることを特徴とする物干し器具。
【請求項２】
物干し器具は、Ｕ字形又はＶ字形の部材を有し、その部材より半硬質のつばを出すことでその摩擦力により落下を完全に防ぐことを特徴とする請求項１記載の物干し器具。
【発明の詳細な説明】
【技術分野】
【０００１】  この発明は、物干し器具の形状に関する。
【背景技術】
【０００２】  従来の物干し器具の形状は、はさむタイプ（ピンチ）がほとんどで、両手を使用しながら洗濯物を干すというかたちであった。
【発明の開示】
【発明が解決しようとする課題】
【０００３】しかしながら、以上の技術によれば、洗濯物を干すときは片手でピンチをひろげて、そこにもう片方の手で洗濯物を挟みこむという形であった。
そこで、この発明は、片手だけで洗濯物を干すことが可能な器具を提供することを課題とする。
【課題を解決するための手段】
【０００４】  以上の課題を解決するために、第一発明は、片手だけで洗濯物が干せるように部材に洗濯物をひっかけて干すことを特徴とする物干し器具である
また、第二発明は、本体の先端にいくに従い挟んだ際の摩擦力が強くなるように本体から半硬質のつば状のものを出すことを特徴とする物干し器具である。
【発明の効果】
【０００５】  第一発明、または第二発明によれば、片手だけで洗濯物を物干し器具に固定することが出来て、一度固定すれば風などの圧力にも簡単に外れることはない器具を提供することが出来る。
【発明を実施するための最良の形態】
【０００６】  この発明の一実施形態を、図１に示す。
物干し器具の部材１は硬質の金属か樹脂でＵ字形かＶ字形に出来ており、部材のＵ字部分、又はＶ字部分については内側にむけて半硬質のつば２が出ており、先端にいくに従い、その間隔は狭まっていく形となっている。又、器具の部材１を連続して設置し物干し器具３とする。【０００７】「実施形態の効果」
この実施形態によれば、片手で洗濯物をつばの間より挟み込み先端に押し込むことで、洗濯物に強い摩擦力が働き、容易な力でははずれることはなくなる。このような部材１を連続して設置する物干し器具３とすることで、大きな洗濯物の設置も可能となる。
【図面の簡単な説明】
【０００８】
【図１】この発明の一実施形態を示す斜視図である。
【符号の説明】
【０００９】  １  部材      ２  つば      ３  物干し器具全体図
【図１】
2007007363.tif 000003
(57)【要約】      （修正有）【課題】止まっているボールを打つことで起こるゴルフスイングイップスという静から動へのタイミングやリズム感を作り出すことに難しさがあった。本発明は、この課題を解決するために動いているボールを打つ練習装置を提供するものである。【解決手段】前方から転がってくるボールを打つ練習をすることで自然にボールの動きに合わせてスイングを作ろうとすることで、静から動への動きではなく、動から動への動きを自然に作り出すことができる。【選択図】図１
2007007364.tif 000002
【特許請求の範囲】
【請求項１】
動いているボールを打つことを特徴とするゴルフの練習装置。
【請求項２】
前方から転がってくるボールを打つことを特徴とする請求項１に記載のゴルフの練習装置。
【請求項３】
傾斜を転がってくるボールを打つことを特徴とする請求項１乃至請求項２に記載のゴルフ練習装置。
【請求項４】
レール上を転がってくるボールを打つことを特徴とする請求項１乃至請求項３に記載のゴルフ練習装置。
【発明の詳細な説明】
【技術分野】
【０００１】    本発明は、ゴルフ練習における動いているボールを打つ練習装置として、パター練習用、アイアンショット練習用の装置である。
【背景技術】
【０００２】    従来は、止まっているボールを打つ練習および練習装置はあったが、動いているボールを打つ練習装置がなかった。
【発明の開示】
【発明が解決しようとする課題】
【０００３】    止まっているボールを打つ従来の練習方法ではゴルフスイングイップスといって、構えてから動き出すリズム・タイミングを作り出すことが難しかった。本発明は、この課題を解決するためになされたものである。
【課題を解決するための手段】
【０００４】    動いているボールを打つこと。
【発明の効果】
【０００５】    動いているボールに合わせて自然にスイングリズム・タイミングを作り出すことが可能になる。パター練習用装置では、クラブフェイス面を目標に向けてインパクトができているかをチェックすることもできる。
【実施例１】
【０００６】    パター練習装置において、図１に本発明の実施例を示す。レール上にゴルフボールを乗せパッティングレール２よりボールストッパー５の方向へ打つ。本体レール１の傾斜により戻ってくるゴルフボールを落とすことなく連続して打つことでインパクト時のクラブフェイス面のコントロールや各人それぞれの持つタイミングやインパクトポイントを確認することができる。
本体レール１およびパッティングレール２の形状は凹型、Ｖ型、凹型の中にさらに溝を施したものを使いこのレールを前方へ高く（湾曲したものでも可能）設置することで打ち出したボールが自然に戻ってくるようにする。また、レールを外れてしまったボールを元の位置まで戻すための幅の広いガイドレールをつけることもできる。
このパッティングレール２の幅は１５ｍｍ、１２ｍｍ、９ｍｍなど狭くすることでより難しさを増すためより正確なクラブフェイス面のコントロールを練習することができる。
以下  本発明の実施の形態について図１〜図５を用いて説明する。
（イ）本体は、本体レール１に本体足４が固定されており、パッティングレール２を連結部３で接いだものである。
（ロ）本体レール１の上方にはボールが飛び出さないようにボールストッパー５を取り付ける
（ハ）図３〜図５はこのレールの断面を表わしたものである。
【実施例２】
【０００７】    アイアンショット練習装置において、右打ちの場合は、既存のゴルフ練習場の打席の前方に手前への傾斜台１１を設置する。  この際、手前への傾斜台１１と打席を覆うための人工芝１２が凹凸なく滑らかな状態になるようにセットする。つぎに、前方への傾斜台１０を手前への傾斜台１１の右側にセットする。他の打席との仕切り板１３は安全を確保するためにかならず設置しておく。
この前方への傾斜台上面の溝１４は直線だけでなく曲線にすることもできる。また、手前への傾斜台１１のボールを転がるスピードを調節するためには、全体を覆う人工芝１２の毛の短いものを使うことで転がるスピードを速くすることができる。傾斜台１１の表面に数種類の人工芝１２をセットすることも可能、一台で多種のスピードを作りだすこともできる。
この練習器を既存の練習場に設置する際に、打席と前方には段差を設けている練習場が多く見られる。このような練習場に設置する際には、手前への傾斜台１１の下に高さ調整するブロックなどを入れて土台を作る。
前方への傾斜台１１は、強度を強くすると傾斜面に人が乗ることができる、上に乗ることができれば傾斜地からの練習にも利用することができる。
以下  本発明の実施の形態について図６、図７を用いて説明する。
（ニ）本体は、前方への傾斜台１０と手前への傾斜台１１と打席を覆うための人工芝１２、他の打席との仕切り板１３から形成されるものである。
（ホ）前方への傾斜台１０の上面にはボールがスムーズに転がるための溝１４をつけておく。
（ヘ）右打ち、左打ちのどちらにも対応できるものとする。
【図面の簡単な説明】
【０００８】
【図１】本発明のパター練習装置の横から見たときの図である。
【図２】本発明のパター練習装置の上から見たときの図である。
2007007364.tif 000003
【図６】本発明のアイアンショット練習装置の左斜め上から見たときの図である。
【図７】本発明のアイアンショット練習装置の横から見たときの図である。
【符号の説明】
【０００９】  １本体レール  ・  ２パッティングレール  ・  ３連結部  ・  ４本体足  ・  ５ボールストッパー  ・  ６凹型レールの断面  ・  ７Ｖ型レールの断面  ・  ８凹型の中に溝を施したレール  ・  ９ゴルフボール  ・  １０前方への傾斜台  ・  １１手前への傾斜台  ・  １２手前への傾斜台と打席を覆う人工芝  ・  １３他の打席との仕切り板  ・  １４前方への傾斜台上面の溝
【図１】
2007007364.tif 000004
【図２】
2007007364.tif 000005
【図３】
2007007364.tif 000006
【図４】
2007007364.tif 000007
【図５】
2007007364.tif 000008
【図６】
2007007364.tif 000009
【図７】
2007007364.tif 000010
(57)【要約】      （修正有）【課題】常用している薬を服用しようとするとき、飲み忘れを防止する薬箱を提供する。【解決手段】内部を３個の薬収容部４ａ、４ｂ、４ｃに分割した箱体１と、突起部５を設けた２個の内蓋２、突起部５に対応する３個の貫通孔６を設けた外蓋３からなる薬箱で、その貫通孔６を朝、昼、夜等と特定できるように表示し、外蓋３の裏面に、朝、昼、夜にそれぞれの飲む薬の種類、量を記載したシール等を貼る。処方された薬を朝、昼、夜の各薬収容部４ａ、４ｂ、４ｃに処方期間分をまとめて収容し、薬を飲むときは、内蓋２を横にスライドさせて薬収容部４ａ、４ｂ、４ｃを開き、薬を取り出し、そのまま外蓋３を閉める。薬を飲んだか確認する場合は、外蓋３の穴にある突起部５の位置を確認すると、直前に薬を取り出した薬収容部４ａ、４ｂ、４ｃの上に内蓋２がないため、外蓋３の穴に突起部５が入っておらず、飲んだことの判断ができる。【選択図】図１
2007007365.tif 000002
【特許請求の範囲】
【請求項１】
内部を複数の薬収容部に等分割した箱体において、薬収容部の開口部に置く突起部付き同形状の内蓋を薬収容部数より１個少ない数だけ設け、箱体開口部全体を覆う外蓋の内蓋突起部に対応する位置に薬収容部数と同数の穴をあけた薬箱。
【発明の詳細な説明】
【技術分野】
【０００１】  本発明は毎日服用する薬の飲み忘れを防ぐため、飲んだかどうかを外から確認することができる薬箱に関するものである。
【背景技術】
【０００２】  従来の薬箱には、１日３回、１週間分または１ヶ月分を小分けして入れる構造を持ったものがある（例えば、特許文献１、２参照。）また、上下２段の引き出しを交互に押し出すことで飲んだことが確認できるものがある（例えば、特許文献３参照。）。
【特許文献１】特開２００２−０９５７２２
【特許文献２】特開２００３−１８０７９８
【特許文献３】特開２００３−２６０１１４
【発明の開示】
【発明が解決しようとする課題】
【０００３】  従来、毎日服用する薬は薬袋や箱に入れて保管し、服用時に取り出して服用するが、服用後、薬を飲んだかどうか不確実なことがある。また、飲み忘れを防ぐために、１回分ごとに分けて保管できるよう小箱に分割した薬箱もあるが、最初に全部の薬を１回ごとに分別して入れなければならないわずらわしさがある。そこで本件出願の発明では、薬の仕分け準備に手間がかからず、しかも飲み忘れを防ぐことができる薬箱を提供するものである。
【課題を解決するための手段】
【０００４】  上記の課題を達成するために請求項１に記載の発明は、内部を複数の薬収容部に等分割した箱体において、薬収容部の開口部に置く突起部付き同形状の内蓋を薬収容部数より１個少ない数だけ設け、箱体開口部全体を覆う外蓋の内蓋突起部に対応する位置に薬収容部数と同数の穴をあけた薬箱である。【０００５】  薬の服用回数や服用時間は、病気の種類や医師の処方によってまちまちであるが、ここでは説明の都合上、朝、昼、夜の食事後に１回ずつ、１日で計３回の服用として話を進める。本薬箱の薬収容部数は３区画となり、左から右へ朝用、昼用、夜用の薬を入れる区画とする。【０００６】  薬収容部が３区画あるため、内蓋の数は１個少ない２個を用意する。常に１区画には蓋がしていない状態となり、内蓋は左右に区画間を自由にスライドできるようにしておく。【０００７】  ２個の内蓋には同じ位置に突起部を設けるが、これは内蓋を左右に移動させるときの取っ手となるほか、外蓋を閉じたときに「服用済」「未服用」がわかる目印にするためである。【０００８】  もらってきた薬は朝用、昼用、夜用に分けて、それぞれに対応する薬収容部にまとめて入れる。各薬収容部に対応する外蓋の内側には、服用説明シールを付け、朝、昼、夜に服用する薬の種類、量などを記載する。【０００９】  外蓋の各薬収容部に対応する位置に、内蓋の突起部が入る貫通孔を３個開ける。【００１０】  外蓋の表面、３個の貫通孔のところには、朝、昼、夜の区分や、それぞれの回の服用時間などを記載した表示を付ける。【００１１】  箱体の内部が外から見てわかるように、材質のすべてまたは一部を透明材または半透明材で作ることも可能である。【００１２】  薬収容部の手前上部縁から最奥底面縁にかけて収容部を二分する板状体を入れれば、薬収容部が浅くなり薬を取り出しやすくすることができる。当面服用する薬を板状体の上に置き、他の薬を下方に置くと便利である。（図示省略）【００１３】  薬収容部３区画以外に、診察券や保険証などを入れるための引き出しなどを設けると実用的で便利である。（図示省略）
【発明の効果】
【００１４】  薬箱の外蓋を閉じた状態で薬箱を見た場合、外蓋の貫通孔に突起部が入っていない部分が前回服用したところということがひと目でわかるため、例えば、朝飲む予定の薬をすでに飲んだのか、まだ飲んでいないのかを外から見て判断できる。【００１５】  もらってきた薬は、朝、昼、夜に分けて一括して各薬収容部に入れればよく、飲む回ごとに細分化された多数の区画に薬を入れる作業をしなくてもよいため手間がかからない。
【発明を実施するための最良の形態】
【００１６】  本発明を実施するときは、病院などでもらってきた薬を処方箋にしたがって朝服用、昼服用、夜服用の３グループに分け、朝用を左の薬収容部４ａに一括して入れる。同様にして昼用を中央の薬収容部４ｂに、夜用を右の薬収容部４ｃに一括して入れる。【００１７】  これで薬の服用準備が整ったことになるが、これを朝の服用から利用する場合について説明する。朝の服用時になったならば、まず外蓋３を開いて２個の内蓋２を右にずらして一番左の薬収容部４ａの上に内蓋２がないようにし、服用説明シール８にしたがって薬をそこから取り出して服用する。【００１８】  薬の服用が終わったら、そのまま外蓋３を閉じる。すると、外蓋３に開けた３個の貫通孔６のうち一番左側の貫通孔６には内蓋２の突起部５が入っていない状態となる。このことは、すでに朝服用する薬は飲み終わったということを意味している。【００１９】  次に、昼になったので薬を服用しようと薬箱の外蓋３を見ると、一番左の貫通孔６に突起部５が入っていないので、朝の服用は済んでいるが、昼の服用がまだであることがわかる。外蓋３を開けて中央の薬収容部４ｂに置かれている内蓋２を左にずらして、そこから昼用の薬を取り出して服用する。夜の薬を飲む場合も同様にして夜用の薬を取り出して服用する。
【図面の簡単な説明】
【００２０】
【図１】  本発明の箱体の一部を欠いた外蓋を開いた斜視図
【図２】  本発明の外蓋を閉じた斜視図
【符号の説明】
【００２１】１    箱体
２    内蓋
３    外蓋
４ａ  薬収容部（左側）
４ｂ  薬収容部（中央）
４ｃ  薬収容部（右側）
５    突起部
６    貫通孔
７    表示
８    服用説明シール
【図１】
2007007365.tif 000003
【図２】
2007007365.tif 000004